(57)【特許請求の範囲】
【請求項１】
移動端末の通信フローに対するＱｏＳ設定要求を受信する受信部と、
ＱｏＳ設定要求に基づくＱｏＳ設定指示を、前記移動端末を収容する無線アクセスシステム移動管理ノードと、前記無線アクセスシステム移動管理ノードを管理するコア網移動管理ノードとの双方に対して並列に送信する送信部と
を含むＱｏＳサーバ。
【請求項２】
前記移動端末が前記移動端末のホーム網に位置する無線アクセスシステム移動管理ノードに収容されている場合に、前記送信部は、前記移動端末のホーム網にそれぞれ位置する無線アクセスシステム移動管理ノード及びコア網移動管理ノードの双方に対してＱｏＳ設定指示を並列に送信する
請求項１記載のＱｏＳサーバ。
【請求項３】
前記移動端末が前記移動端末のホーム網と異なる在圏網に位置する無線アクセス移動管理ノードに収容されている場合に、前記送信部は、前記在圏網に位置する無線アクセスシステム移動管理ノードと、前記移動体のホーム網に位置するコア網管理ノードとの双方に対してＱｏＳ設定指示を並列に送信する
請求項１記載のＱｏＳサーバ。
【請求項４】
前記移動端末が前記移動端末のホーム網と異なる在圏網に位置する無線アクセス移動管理ノードに収容されている場合に、前記送信部は、前記在圏網にそれぞれ位置する無線アクセスシステム移動管理ノードとコア網移動管理ノードとの双方に対してＱｏＳ設定指示を並列に送信する
請求項１記載のＱｏＳサーバ。
【請求項５】
前記移動端末が前記移動端末のホーム網と異なる在圏網に位置する無線アクセス移動管理ノードに収容されている場合に、前記送信部は、前記在圏網の無線アクセス移動管理ノードと、前記在圏網の無線アクセスシステム移動管理ノードを管理する前記在圏網のコア網移動管理ノードと、前記ホーム網に位置するコア網移動管理ノードとに対してＱｏＳ設定指示を並列に送信する
請求項１記載のＱｏＳサーバ。
【請求項６】
前記移動端末が前記移動端末のホーム網と異なる在圏網に位置する無線アクセス移動管理ノードに収容されている場合に、前記送信部は、前記在圏網のＱｏＳサーバへのＱｏＳ設定要求送信と、前記ホーム網に位置するコア網移動管理ノードへのＱｏＳ設定指示とを並列に送信する
請求項１記載のＱｏＳサーバ。
【請求項７】
前記移動端末に係る無線アクセスシステム移動管理ノードとコア網移動管理ノードとの対応関係を、前記移動端末のホーム網に位置する加入者情報サーバから受信する
請求項１記載のＱｏＳサーバ。
【請求項８】
前記移動端末に係る無線アクセスシステム移動管理ノードとコア網移動管理ノードとの対応関係を、前記コア網移動管理ノードから受信する
請求項１記載のＱｏＳサーバ。
【請求項９】
前記移動端末に係る無線アクセスシステム移動管理ノードとコア網移動管理ノードとの対応関係を、前記無線アクセスシステム移動管理ノードから受信する
請求項１記載のＱｏＳサーバ。
【請求項１０】
前記移動端末に係る無線アクセスシステム移動管理ノードとコア網移動管理ノードとの対応関係を、前記移動端末に係る認証を行う認証サーバから受信する
請求項１記載のＱｏＳサーバ。
【発明の詳細な説明】
【技術分野】
【０００１】
本発明は、移動体通信システムにおけるＱｏＳ(Quality of Service)設定応答時間の短縮に関する技術である。
【背景技術】
【０００２】
近年、移動体通信サービスの分野において、ＱｏＳサービスに関する要求が高まってきている。
【０００３】
これまでの移動体通信システムでは、移動端末(MN：Mobile Node)が、個別のフロー毎にＱｏＳ指定を行い、ネットワーク(ＮＷ)側はその指定に応えてＱｏＳ設定を行う端末主導型の方式が採用されていた。
【０００４】
現在、ＱｏＳサービスを効率よく提供するために、各ＭＮがネットワークを通じて利用するアプリケーションからの情報に基づき、ネットワーク側が複数のフローをＱｏＳ制御としてまとめて取り扱う、ネットワーク主導型の方式が検討されている。
【０００５】
ネットワーク主導型のＱｏＳ設定方式では、ネットワーク側に位置するアプリケーションの判断を通じて、ＭＮからではなく、ネットワーク側からフローに対するＱｏＳ設定が行われる。この場合、ＱｏＳセットアップ時間、応答時間の短縮が問題になる。
【０００６】
アプリケーションからの ＱｏＳ要求が発生した場合には、ＭＮへの移動に応じた通信パスを提供する移動管理ノードへのＱｏＳ設定が必要になる。一般に、移動管理ノードは、各種無線アクセスシステムに応じた無線アクセス網内の移動に対応するノードと、無線アクセスシステム網間を結びアクセスシステム網間の移動に対応するノードとに階層的、多段に設けられる。この明細書では、前者を無線アクセスシステム移動管理ノード(ASMM(Access System Mobility Management))と呼び、後者をコア網移動管理ノード(CNMM(Core Network Mobility Management))と呼ぶ。ＣＮＭＭはＡＳＭＭに対して上位の関係にあり、自身に接続される複数のＡＳＭＭを管理する。
【０００７】
アプリケーションが、或るＭＮの通信に対してＱｏＳサービスの提供を決定した場合には、アプリケーションは、ネットワーク側に位置するＱｏＳサーバにＱｏＳ要求を送信する。ＱｏＳ要求を受信したＱｏＳサーバは、ＱｏＳサービスを提供すべきＭＮへの通信路を提供する無線アクセスシステム移動管理ノードとコア網移動管理ノードとに対し、ＱｏＳ設定の指示を送信する。
【０００８】
ここで、従来の枠組みでは、コア網移動管理ノードは、そのＭＮに対応する無線アクセスシステム移動管理ノードを知っている。一方、アプリケーション及びＱｏＳサーバは、対応する無線アクセスシステム移動管理ノードを知らない。このため、ＱｏＳサーバから、無線アクセスシステム移動管理ノードへのＱｏＳ設定は、コア網移動管理ノードを経由して行われる。
【０００９】
この場合、ＱｏＳサーバからコア網移動管理ノードへのＱｏＳ設定に１ホップ( hop)が必要である。一方、ＱｏＳサーバから無線アクセスシステム移動管理ノードへＱｏＳ設定は、コア網移動管理ノード経由で行われるため、２ホップが必要である。従って、無線アクセスシステム移動管理ノード及びコア網移動管理ノードでのＱｏＳ設定が完了するまでに要する時間は、後者の２ホップで制約される。この２ホップは、ＱｏＳ設定時間の短縮する上での足枷になる。
【００１０】
また、本発明に関連する技術として、認証サーバを用いたＦＡ(Foreign Agent)−ＦＡ間のu-plane情報転送用SAの構築を可能する技術がある(例えば、特許文献１)。特許文献１記載の技術では、移動端末の認証時に、認証サーバから、ユーザのＶＰＮ(Virtual Private Network)情報をＨＡ(Home Agent)だけでなく、各ネットワーク装置(ＦＡ等)にも通知して、ＨＡとネットワーク装置との間に対しても、IPsecによるＶＰＮパス(U-plane)の設定を可能とする。しかし、ＱｏＳサーバをエンティティとして含んでおらず、ＱｏＳサーバからＦＡへC-plane情報を転送するためのＳＡ確立も含んでいない。さらに、ＱｏＳサーバからＦＡ及びＨＡへＱｏＳ設定を並列に行う処理も含んでいない。
【特許文献１】特開２００２−４４１４１号公報
【非特許文献１】TR 23.882: “3GPP System Architecture Evolution: Report on Technical Options and Conclusions”(Sec7. 12 Key Issue QoS concepts), http://www.3gpp.org/ftp/Specs/html-info/23-series.htm
【非特許文献２】TS 23.203: “Policy and charging control architecture”, http://www.3gpp.org/ftp/Specs/html-info/23-series.htm
【非特許文献３】TS 23.107: “Quality of Service (QoS) concept and architecture”, http://www.3gpp.org/ftp/Specs/html-info/23-series.htm
【発明の開示】
【発明が解決しようとする課題】
【００１１】
上述したように、現状の枠組みでは、ＱｏＳ設定を指示するＱｏＳサーバは、指示を与えるべき無線アクセスシステム移動管理ノードを知らない。このため、無線アクセスシス
テム移動管理ノードのＱｏＳ設定は、コア網移動管理ノードを通じて行わなければならず、ＱｏＳ設定時間が長くなっていた。
【００１２】
また、移動体通信の性質上、無線アクセスシステム移動管理ノードとＱｏＳサーバとが同じネットワークに存在しない場合には、ＱｏＳサーバと無線アクセスシステム移動管理ノードとの間におけるセキュアな制御用通信関係(Security Association：SA)が存在しない場合がある。
【００１３】
このような場合では、仮に、ＱｏＳサーバが無線アクセスシステム移動管理ノードを何らかの手法で知ったとしても、両者の間にＳＡ，すなわちＱｏＳサーバと無線アクセスシステム移動管理ノードとを直接結ぶセキュアな通信路がないので、セキュアなＱｏＳ設定ができない可能性があった。
【００１４】
本発明の目的は、網側が自発的に移動端末の利用するフローに対するＱｏＳ設定を行うための時間を短縮することができる技術を提供することである。
【課題を解決するための手段】
【００１５】
本発明は、上記目的を達成するため、以下の構成を採用する。
【００１６】
すなわち、本発明は、網側で生じた移動端末の通信フローに対するＱｏＳ設定要求を受信する受信部と、
ＱｏＳ設定要求に基づくＱｏＳ設定指示を、前記移動端末を収容する無線アクセスシステム移動管理ノードと、前記無線アクセスシステム移動管理ノードを管理するコア網移動管理ノードとの双方に対して並列に送信する送信部と
を含むＱｏＳサーバである。
【発明の効果】
【００１７】
本発明によれば、網側が自発的に移動端末の利用するフローに対するＱｏＳ設定を行うための時間を短縮することができる技術を提供することである。
【発明を実施するための最良の形態】
【００１８】
〔発明の概要〕
本発明は、例えば、認証時、あるいは認証後に、無線アクセスシステム移動管理ノード(ＡＳＭＭ)及びコア網移動管理ノード(ＣＮＭＭ)と、ＱｏＳサーバとの間でお互いを認知する手段を備える。この認知に基づいて、ＱｏＳサーバは、ＡＳＭＭとＣＮＭＭとの双方に対し、個別且つ並列に、ＱｏＳ設定を行う。これによって、ＱｏＳ設定時間を短縮することができる。
【００１９】
また、ＡＳＭＭ及びＣＮＭＭが、在圏網(Visited-Network)に位置する場合には、ＱｏＳサーバとＡＳＭＭ／ＣＮＭＭとの間で、ＳＡ (Security Association) Keyと、ユーザ(ＭＮ)の情報とが配布/交換される。これによって、両者が相互に認知される。また、両者間でＳＡを動的に確立する。確立されたＳＡを用い、ＱｏＳサーバがＡＳＭＭ及びＣＮＭＭへ、それぞれ個別且つ並列にＱｏＳ設定を行う。これによって、ＱｏＳ設定時間が短縮される。また、網側が自発的に移動端末の利用するフローに対するＱｏＳ設定を行う場合に、ＱｏＳ設定のためにセキュアな通信路を確実に利用可能とすることができる。
【００２０】
〔従来システム〕
図１は、従来システムの動作例を示す図である。図１には、本発明に係る移動体通信システムを構成するノードとして、アプリケーションと、ＱｏＳサーバ(ＱｏＳＳ)と、コア網移動管理ノード(ＣＮＭＭ)と、認証サーバ(ＡＡＡサーバ(Access, Authorization and 
Accounting server)。ユーザやサービスの認証，認可，課金管理を行うサーバ)と、無線アクセスシステム移動管理ノード(ＡＳＭＭ)と、移動端末(ＭＮ)とが示されている。アプリケーション，ＱｏＳＳ，ＣＮＭＭは、ホーム網(Home NW)内に位置し、ＡＳＭＭ及びＭＮは、ホーム網又は在圏網(Visited NW)に位置している。ＡＡＡサーバは、通常、ホーム網及び在圏網にそれぞれ配置される。ホーム網は、ユーザ(ＭＮ)が加入者契約を結んでいるキャリアの網であり、在圏網は、ユーザ(ＭＮ)が位置している加入キャリアと異なるキャリアの網である。
【００２１】
図１において、黒丸の端点を両端に有する線分は、図１の上方に示した関係ノード間において、既存の枠組みで構築されるＳＡ(Security Association)を示す。
【００２２】
ＳＡは、ＳＡ関係を識別する識別子と、完全性保証や秘匿のためのキー情報と共有によって、構築される。例えば、Mobile IPv4が適用される場合、無線アクセスシステム移動管理ノード(ＡＮＭＭ)及びコア網移動管理ノード(ＣＮＭＭ)として、ＦＡ(Foreign Agent)及びＨＡ(Home Agent)を適用する形態を採用することができる。ＲＦＣ４００４では、ＭＮ−ＨＡ，ＭＮ−ＦＡ，及びＦＡ−ＨＡ間にＳＡを構築する技術が提供されている。この技術を用いて、図１の中段に示された３本のＳＡ１，２及び３を構築することができる。
【００２３】
従来の枠組みでは、ホーム網のＱｏＳサーバが、網オペレータ(キャリア)が異なる在圏網のＡＳＭＭに対してＱｏＳ設定を行う場合には、当該ＡＳＭＭを知っており、且つＡＳＭＭとの間でＳＡ関係を有するＣＮＭＭを経由して、ＡＳＭＭに対するＱｏＳ設定を行うことが考えられていた(図１のルート(１))。ＣＮＭＭに対するＱｏＳ設定も必要である。従って、アプリケーションにてＱｏＳ設定イベントトリガが生じ、ＱｏＳ設定要求がＱｏＳサーバに与えられると、ＱｏＳサーバは、ＱｏＳサーバとＣＮＭＭとの間に構築されているＳＡ４を用いて、ＣＮＭＭにＱｏＳ設定の指示を与え、ＣＮＭＭは、ＣＮＭＭとＡＳＭＭとの間に構築されているＳＡ３を用いて、ＡＳＭＭにＱｏＳ設定の指示を与えていた。
【００２４】
ルート(１)を用いることによって、ＣＮＭＭ及びＡＳＭＭの双方にＱｏＳ設定を施すことができる。しかしながら、設定完了までに２ホップを要し、ＱｏＳサーバ，ＣＮＭＭ，ＡＳＭＭがＱｏＳ設定のために直列に接続される設定を行う必要があった。
【００２５】
これに対し、図１に示したルート(２)のような設定ルートを採用することが考えられる。すなわち、ＱｏＳサーバとＡＡＡサーバとの間に構築されているＳＡ５を用いて、ＣＮＭＭがＡＡＡサーバにＱｏＳ設定の指示を与え、ＡＡＡ(ＡＳＭＭを知っている)が、ＡＳＭＭにＱｏＳ設定の指示を転送するルートである。しかし、ルート(２)でも、ＱｏＳ設定の指示は、ＡＡＡサーバを経由するので、２ホップ以上が必要になる。図１では、図示を省略しているが、ＡＡＡサーバはホーム網と在圏網とにそれぞれ設置される。従って、実際には、ＣＮＭＭ→ＡＡＡサーバ(ホーム網)→ＡＡＡサーバ(在圏網)→ＡＳＭＭのルートでＱｏＳ設定の指示は転送される。従って、ホップ数は３となる。
【００２６】
〔実施形態の概要〕
図２は、本発明に係る移動体通信システムの概要を示す図である。図１に示すシステムでは、以下に個別に説明する方法によって、ＱｏＳサーバと無線アクセスシステム移動管理ノード(ＡＳＭＭ)に対してＳＡ構築に必要な情報を配布し、ＳＡ(図２の最下段におけるＳＡ７)を構築する。このＳＡ７と、ＱｏＳサーバとコア網移動管理ノードとの間に構築されたＳＡ４とを用い、ＱｏＳサーバは、ＣＮＭＭ及びＡＳＭＭに対してＱｏＳ設定を行う。即ち、ＱｏＳサーバは、アプリケーションで或る移動端末に対するＱｏＳ設定イベントトリガが発生したときに、ＱｏＳ設定要求をアプリケーションから受信する受信部と
、ＱｏＳ設定要求に基づくＱｏＳ設定指示を或る移動端末の通信フローを制御するＣＮＭＭ及びＡＳＭＭに対して並列に送信する送信部とを備えた装置として機能する。これによって、ＣＮＭＭ及びＡＳＭＭに対するＱｏＳ設定をそれぞれ１ホップで行うことができ、ＱｏＳ設定時間を短縮することができる。
【００２７】
また、本発明では、在圏網のＣＮＭＭを用いる構成も考えられる。この場合ででは、ＣＮＭＭとＱｏＳサーバとの間にＳＡが構築される。
【００２８】
また、在圏網オペレータ(キャリア)の運用ポリシによっては、在圏網に位置するノードに対する設定が、在圏網のＱｏＳサーバにのみ許可されている場合もある。この場合には、ホーム網のＱｏＳサーバからホーム網に位置するノードへのＱｏＳ設定と、在圏網のＱｏＳサーバに対するＱｏＳ設定要求の送信とが並列処理で行われる。在圏網のＱｏＳサーバが在圏網ノードへのＱｏＳ設定を行う場合において、ＱｏＳ設定対象の複数の在圏網ノードが存在する場合には、在圏網のＱｏＳサーバは、複数の在圏網ノードに対するＱｏＳ設定を並列処理で行う。
【００２９】
〔第１実施形態〕
本発明の第１実施形態として、以下の移動通信システムについて説明する。
[1]   或る移動端末の通信に関し、網側のアプリケーションからの要求に基づき、ＱｏＳ通信サービスを提供する移動体通信システムであって、網内のＱｏＳサーバから、移動端末を収容する無線アクセスシステム移動管理ノードと、及び複数の無線アクセスシステムを結合するコア網移動管理ノードとの双方に対し、並列にＱｏＳ設定を行うことによって、ＱｏＳ設定時間を短縮する移動体通信システム。
【００３０】
第１実施形態の移動体通信システムは、図２に示した構成を有する。図２において、移動端末たるＭＮに対し、ホーム網のアプリケーションがＱｏＳ設定を行うことを決定すると(ＱｏＳ設定イベントトリガ発生)、アプリケーションは、ＱｏＳサーバに対して、ＱｏＳ設定要求を与える。ＱｏＳサーバは、ＭＮに係るＣＮＭＭ及びＡＳＭＭに対して、ＱｏＳサーバとＣＮＭＭ／ＡＳＭＭとの間にそれぞれ構築されたＳＡ４及び７を用いて、ＱｏＳ設定の指示を与える。ＣＮＭＭ及びＡＳＭＭは、ＭＮが使用する通信フローに対して、ＱｏＳサーバから指定されたＱｏＳ(ＱｏＳ設定指示に含まれる)を設定する。
【００３１】
第１実施形態によれば、ＱｏＳ設定指示がＣＮＭＭ及びＡＳＭＭに対するＱｏＳ設定が並列に実行される。ＣＮＭＭ及びＡＳＭＭに対するＱｏＳ設定は同時に開始することができる。これによって、ＱｏＳ設定時間を図１のシステムに比べて半分程度に短縮できる。
【００３２】
〔第２実施形態〕
次に、本発明の第２実施形態について説明する。第２実施形態は、第１実施形態との共通点を含むので、共通点については説明を省略し、主として相違点について説明する。
【００３３】
第２実施形態として、次の移動体通信システムについて説明する。
【００３４】
[2]   上記した[1]において、移動端末が加入者契約を結んだキャリアの網であるホーム網に位置し、無線アクセスシステム移動管理ノード及びコア網移動管理ノードの双方が、ホーム網オペレータ(当該キャリア)のノードである移動体通信システム。
【００３５】
図３Ａは、第２実施形態における移動体通信システムを示す図である。図３Ａには、ホーム網に位置するＱｏＳサーバ，加入者情報サーバ(ＨＳＳ(Home Subscriber Server)。加入者情報を保持するサーバ)，ＣＮＭＭ，ＡＳＭＭ，無線基地局ノード(ＲＡＮ(Radio Access Node))，及び移動端末(ＭＮ)が示されている。
【００３６】
第２実施形態では、図２に示したＣＮＭＭ及びＡＳＭＭに対するＱｏＳ並列設定が、図３Ａに示した移動体通信システムに適用される。すなわち、図３Ａにおいて、ＱｏＳサーバは、ホーム網のＣＮＭＭ及びＡＳＭＭに対して、ＱｏＳ設定指示を並列に送信する。
【００３７】
第２実施形態では、ＣＮＭＭ及びＡＳＭＭの双方が同一のホーム網内に位置する。このため、ＱｏＳ設定のためのＳＡは必ずしも必要ではない。但し、アプリケーション(図３Ａでは図示しないがホーム網内に存在する)からの要求を通じて、ＱｏＳサービスの提供対象となるＭＮを収容するノード(ＡＳＭＭ)をＱｏＳサーバに認識させることが必要である。このような認識は、以下に説明する第７〜１４実施形態の構成を適用することで、実現が可能である。
【００３８】
第２実施形態によれば、第１実施形態と同様に、ＱｏＳ設定時間を図１のシステムに比べて半分程度に短縮できる。
【００３９】
〔第３実施形態〕
次に、本発明の第３実施形態について説明する。第３実施形態は、第１実施形態との共通点を含むので、共通点については説明を省略し、主として相違点について説明する。
【００４０】
第３実施形態として、次の移動体通信システムについて説明する。
[3]   上述した[1]において、移動端末がホーム網と異なる在圏網(Visited NW)に位置し、無線アクセスシステム移動管理ノードが在圏網のノードであり、コア網移動管理ノードがホーム網のノードである移動体通信システム。
【００４１】
図３Ｂは、第３実施形態における移動体通信システムを示す図である。図３Ｂには、ホーム網に位置するＱｏＳサーバ，加入者情報サーバ(ＨＳＳ)，ＣＮＭＭと、在圏網に位置するＡＳＭＭ，無線基地局ノード(ＲＡＮ)，及び移動端末(ＭＮ)が示されている。
【００４２】
第３実施形態では、図２に示したＣＮＭＭ及びＡＳＭＭに対するＱｏＳ並列設定が、図３Ｂに示した移動体通信システムに適用される。すなわち、図３Ｂにおいて、ＱｏＳサーバは、ホーム網のＣＮＭＭ及び在圏網のＡＳＭＭに対して、ＱｏＳ設定指示を並列に送信する。
【００４３】
第３実施形態では、オペレータ(キャリア)が異なる網間(ホーム網−在圏網間)を跨ぎ、かつ、在圏網側に特別な中継ノードを必要とせず、直接的なＱｏＳ設定をホーム網のＱｏＳサーバからＡＳＭＭに対して行う。このため、ホーム網のＱｏＳサーバと在圏網のＡＳＭＭとの間にＳＡが構築される。
【００４４】
第３実施形態によれば、第１実施形態と同様に、ＱｏＳ設定時間を図１のシステムに比べて半分程度に短縮できる。
【００４５】
〔第４実施形態〕
次に、本発明の第４実施形態について説明する。第４実施形態は、第１実施形態との共通点を含むので、共通点については説明を省略し、主として相違点について説明する。
【００４６】
第４実施形態として、次の移動体通信システムについて説明する。
[4]   上記した[1]において、移動端末がホーム網と異なる在圏網に位置し、無線アクセスシステム移動管理ノードとコア網移動管理ノードとの双方が在圏網に位置する移動体通信システム。
【００４７】
図３Ｃは、第４実施形態における移動体通信システムを示す図である。図３Ｃには、ホーム網に位置するＱｏＳサーバ，及び加入者情報サーバ(ＨＳＳ)と、在圏網に位置するＣＮＭＭ，ＡＳＭＭ，無線基地局ノード(ＲＡＮ)，及び移動端末(ＭＮ)が示されている。
【００４８】
第４実施形態では、図２に示したＣＮＭＭ及びＡＳＭＭに対するＱｏＳ並列設定が、図３Ｃに示した移動体通信システムに適用される。すなわち、図３Ｃにおいて、ＱｏＳサーバは、在圏網のＣＮＭＭ及びＡＳＭＭに対して、ＱｏＳ設定指示を並列に送信する。
【００４９】
第４実施形態では、在圏網のＣＮＭＭ及びＡＳＭＭがＱｏＳ設定に使用され、ホーム網の少なくともＣＮＭＭを経由しない通信が行われる。すなわち、第４実施形態では、ホーム網のＱｏＳサーバが、在圏網のＣＮＭＭ及びＡＳＭＭを直接的に制御する。
【００５０】
第４実施形態によれば、第１実施形態と同様に、ＱｏＳ設定時間を図１のシステムに比べて半分程度に短縮できる。
【００５１】
〔第５実施形態〕
次に、本発明の第５実施形態について説明する。第５実施形態は、第１実施形態との共通点を含むので、共通点については説明を省略し、主として相違点について説明する。
【００５２】
第５実施形態として、次の移動体通信システムについて説明する。
【００５３】
[5]   上述した[1]において、移動端末がホーム網と異なる在圏網に位置し、在圏網の無線アクセスシステム移動管理ノード及びコア網移動管理ノードと、在圏網のコア網移動管理ノードと接続されるホーム網のコア網移動管理ノードを用いてＱｏＳ設定が並列に行われる移動体通信システム。
【００５４】
図３Ｄは、第５実施形態における移動体通信システムを示す図である。図３Ｄには、ホーム網に位置するＱｏＳサーバ，加入者情報サーバ(ＨＳＳ)，及びＣＮＭＭと、在圏網に位置するＣＮＭＭ，ＡＳＭＭ，無線基地局ノード(ＲＡＮ)，及び移動端末(ＭＮ)が示されている。
【００５５】
第５実施形態では、図２に示したＣＮＭＭ及びＡＳＭＭに対するＱｏＳ並列設定が、図３Ｄに示した移動体通信システムに適用される。すなわち、図３Ｄにおいて、ＱｏＳサーバは、ホーム網のＣＮＭＭ及び在圏網のＣＮＭＭ及びＡＳＭＭに対して、ＱｏＳサービス提供対象のＭＮについてのＱｏＳ設定指示を並列に送信する。
【００５６】
第５実施形態によれば、第１実施形態と同様に、ＱｏＳ設定時間を図１のシステムに比べて半分程度に短縮できる。
【００５７】
〔第６実施形態〕
次に、本発明の第６実施形態について説明する。第６実施形態は、第１実施形態との共通点を含むので、共通点については説明を省略し、主として相違点について説明する。
【００５８】
第６実施形態として、次の移動体通信システムについて説明する。
【００５９】
[6]   上述した[3]、[4]及び[5]において、ホーム網のＱｏＳサーバは、在圏網のノードにＱｏＳ設定指示を与え、在圏網のＱｏＳサーバは、在圏網に位置するＭＮに係るノードに対するＱｏＳ設定を必要に応じて並列に行い、ホーム網のＱｏＳサーバは、ＱｏＳ設定を行うべきノードがホーム網に位置する場合には、当該ノードに対するＱｏＳ設定指示を、在圏網のＱｏＳサーバへのＱｏＳ設定指示と並列に送信する移動体通信システム。
【００６０】
第６実施形態は、在圏網のオペレータ(キャリア)の運用ポリシによって、ホーム網から在圏網ノードを直接的に制御することが許されない場合において、図２に示したＱｏＳの並列設定を実現する例を示す。
【００６１】
図４Ａ，図４Ｂ及び図４Ｃは、第６実施形態の説明図であって、図３Ｂ，図３Ｃ，及び図３Ｄにおけるシステム構成に対応する。但し、図４Ａ，図４Ｂ，図４Ｃには、在圏網のＱｏＳサーバが示されている。
【００６２】
図４Ａに示すシステム構成では、ホーム網のＱｏＳサーバが、ホーム網に位置するＣＮＭＭに対するＱｏＳ設定(ＱｏＳ設定指示送信)と、在圏網のＱｏＳサーバへのＱｏＳ設定要求とを並列に行う。ホーム網のＱｏＳサーバは、在圏網のＱｏＳサーバの位置を予め知っている。図４Ａにおいて、在圏網のＱｏＳサーバは、在圏網のＡＳＭＭに対するＱｏＳ設定を行う。
【００６３】
図４Ｂに示すシステム構成では、ホーム網のＱｏＳサーバが、ＭＮの在圏網のＱｏＳサーバに対し、ＱｏＳ設定要求を送信する。在圏網のＱｏＳサーバは、在圏網に位置するＣＮＭＭ及びＡＳＭＭに対するＱｏＳ設定(ＱｏＳ設定指示送信)を並列に行う。
【００６４】
図４Ｃに示すシステム構成では、ホーム網のＱｏＳサーバが、ホーム網のＣＮＭＭに対するＱｏＳ設定指示送信と、在圏網のＱｏＳサーバへのＱｏＳ設定要求とを並列に送信する。在圏網のＱｏＳサーバは、在圏網のＣＮＭＭ及びＡＳＭＭに対するＱｏＳ設定を並列に行う。
【００６５】
第６実施形態では、在圏網の無線アクセスシステム移動管理ノードへの設定時間は、図１に示したシステムと変わらない。しかしながら、ホーム網のＱｏＳサーバは、在圏網のＱｏＳサーバに対するＱｏＳ設定要求をホーム網のＱｏＳ設定指示と並列に送信する。これによって、ＱｏＳ設定時間を短縮することができる。
【００６６】
例えば、図１に示したシステムでは、在圏網のＡＳＭＭへＱｏＳ設定指示が到着するのに３ホップを要していた。これに対し、図４Ｂ及び図４Ｃに示すシステムでは、ＱｏＳ設定指示を在圏網のＡＳＭＭへ２ホップで到達させることができる。これによって、全体として、図１のシステムにおけるＱｏＳ設定時間に比べて２／３近くまで、ＱｏＳ設定時間を短縮できる。
【００６７】
〔第７実施形態〕
次に、本発明の第７実施形態について説明する。第７実施形態は、第１実施形態との共通点を含むので、共通点については説明を省略し、主として相違点について説明する。
【００６８】
第７実施形態として、次の方法について説明する。
[7]   上述した[1]から[6]におけるホーム網のＱｏＳサーバが、移動端末を収容する無線アクセスシステム移動管理ノードを認識する方法であって、移動端末に係る無線アクセスシステム移動管理ノードとコア網移動管理ノードとの対応関係を常に知るホーム網の加入者情報データサーバが、対応関係が構築される毎、あるいは、対応関係が変化する毎に、ホーム網ＱｏＳサーバにＭＮとノードとの対応関係を通知する。
【００６９】
図５は、第７実施形態を説明するシーケンス図である。図５において、移動端末(ＭＮ)は、通信開始時又はＡＳＭＭの変更時に、接続要求をＡＳＭＭに対して送信する(ステップＳ１)。接続要求はユーザＩＤの例としてのＭＮ＿ＮＡＩ(Mobile Node＿Network Access Identifier)を含んでいる場合を表している。ＭＮ＿ＮＡＩは、ＭＮを一意に特定する
ためのＮＡＩである。
【００７０】
接続要求は、無線基地局ノード(ＲＡＮ)を介してＡＳＭＭに受信される。すると、ＡＳＭＭは、ユーザ認証情報要求を、加入者情報サーバ(ＨＳＳ)に送信する(ステップＳ２)。本実施形態では、ＨＳＳは、ＡＡＡサーバとしての機能を含む。
【００７１】
ユーザ認証情報要求を受信したＨＳＳは、認証情報を生成し(ステップＳ３)、認証情報を含むユーザ認証情報応答をＡＳＭＭに送信する(ステップＳ４)。ユーザ認証情報応答を受信したＡＳＭＭは、認証情報を保存し(ステップＳ５)、乱数及び認証トークンを含む認証要求を、ＲＡＮを介してＭＮに送信する(ステップＳ６)。
【００７２】
認証要求を受信したＭＮは、認証要求に含まれる乱数及び認証トークンを元に、認証応答値を計算し(ステップＳ７)、応答値を含む認証応答をＡＳＭＭに送信する(ステップＳ８)。
【００７３】
認証応答を受信したＡＳＭＭは、ステップＳ５で保存した認証情報と、ＭＮから受信された認証応答とを用いて、ＭＮ認証を行う(ステップＳ９)。ＭＮ認証が成功すると、ＡＳＭＭは、ＭＮの通信に使用されるＣＮＭＭを決定する(ステップＳ１０)。その後、ＡＳＭＭは、ＡＳＭＭ登録要求をＨＳＳに送信する(ステップＳ１１)。ＡＳＭＭ登録要求は、ＡＳＭＭとＭＮとの対応関係を示す情報として、ＡＳＭＭの識別子(ＡＳＭＭ−ＩＤ)とＭＮの識別子(ＭＮ＿ＮＡＩ)とを含んでいる。
【００７４】
ＡＳＭＭ登録要求を受信したＨＳＳは、対応関係の登録処理(ＭＮ＿ＮＡＩ，とＡＳＭＭ−ＩＤとを関連付けて所定の記憶領域に格納)を行った後、ＡＳＭＭ登録応答をＡＳＭＭに送信する(ステップＳ１２)。
【００７５】
その後、ＡＳＭＭとＣＳＭＭとの間でU-plane(ユーザ・プレーン)の転送路設定が行われ(ステップＳ１３)、さらに、ＡＳＭＭとＭＮとの間でU-planeの転送路設定が行われる(ステップＳ１４)。
【００７６】
U-planeの設定が完了すると、ＡＳＭＭからＭＮに接続許可が与えられ(ステップＳ１５)、ＭＮが接続許可応答を送信する(ステップＳ１６)。これによって、ＭＮは、通信を実行することができる。
【００７７】
以上のステップＳ１〜Ｓ１６の手順は、ＭＮが通信を開始するための認証手順を含むシグナリングとしての既存技術である。これに対し、図５に示す手順では、以下の手順が追加されている。
【００７８】
すなわち、ＨＳＳが、ＡＳＭＭ登録応答を送信(Ｓ１２)した後に、ＭＮとＡＳＭＭとの対応関係をＱｏＳサーバに通知する(ＭＮ対応通知：ステップＳ１７)。ＭＮ対応通知を受信したＱｏＳサーバは、その確認(ＡＣＫ)をＨＳＳに返信する(ステップＳ１８)。ステップＳ１７によって、ＱｏＳサーバは、ＱｏＳ設定指示を送信すべき、ＭＮに対応するＡＳＭＭを認識することができる。
【００７９】
さらに、図５に示す手順には、ステップＳ１９及びＳ２０が追加されている。ステップＳ１９では、ステップＳ１３の処理を通じてＭＮ及びＡＳＭＭを認識したＣＮＭＭが、ＭＮとＣＮＭＭとの対応関係を含むＭＮ対応通知をＱｏＳサーバに送信する。ＱｏＳサーバは、ＭＮとＣＮＭＭとの対応関係を、ステップＳ１７で得たＭＮとＡＳＭＭとの対応関係に関連付けて登録し、ＡＣＫをＣＮＭＭへ返信する(ステップＳ２０)。
【００８０】
このようにして、ＱｏＳサーバは、ＭＮに対するＡＳＭＭ及びＣＮＭＭ、すなわち、ＱｏＳ設定指示を並列に送信すべきノードを認識することができる。
【００８１】
第７実施形態によれば、ＳＡ構築のためのキーの配布はできないが、ＳＡの構築が不要で、ＱｏＳ設定対象のＭＮを収容するＡＳＭＭ及びＣＮＭＭの認識のみが必要な場合(例えば、ＱｏＳサーバとＡＳＭＭ及びＣＮＭＭとが同じ網に位置する場合)において、ＱｏＳサーバが簡易にＡＳＭＭ及びＣＮＭＭの位置を認識することができる。
【００８２】
〔第８実施形態〕
次に、本発明の第８実施形態について説明する。第８実施形態は、第７実施形態との共通点を含むので、共通点については説明を省略し、主として相違点について説明する。
【００８３】
第８実施形態として、次の方法について説明する。
[8]    上述した[1]から[6]におけるホーム網のＱｏＳサーバが、移動端末を収容する無線アクセスシステム移動管理ノードを認識する方法であって、無線アクセスシステム移動管理ノード(ＡＳＭＭ)が、ホーム網の加入者情報サーバ(ＨＳＳ)に、移動端末(ＭＮ)と自ノードとの対応関係を登録する際、ＭＮの通信について、自ノードと接続するコア網移動管理ノード(ＣＮＭＭ)を併せて登録し、加入者情報データサーバ(ＨＳＳ)が、ホーム網のＱｏＳサーバへ、ＭＮ，ＡＳＭＭ，及びＣＮＭＭの対応関係を通知する方法。
【００８４】
図６は、第８実施形態を説明するシーケンス図である。図６に示す手順中のステップＳ１〜Ｓ１０，Ｓ１４〜Ｓ１６は、第７実施形態(図５)と同様の手順である。第８実施形態では、ステップＳ１１Ａにおいて、ＡＳＭＭが、ＭＮに係るＡＳＭＭとＣＮＭＭとの対応関係を含むＡＳＭＭ登録要求をＨＳＳに送信する。
【００８５】
すなわち、ＡＳＭＭ登録要求は、例えば、ＭＮの識別子(ＭＮ＿ＮＡＩ)と、ＡＳＭＭ−ＩＤと、ステップＳ１０で決定されたＣＮＭＭの識別子(ＣＮＭＭ−ＩＤ)とを含む。
【００８６】
ＡＳＭＭ登録要求を受信したＨＳＳは、ＭＮ＿ＮＡＩ，ＡＳＭＭ−ＩＤ及びＣＮＭＭ−ＩＤを関連付けて登録し、ＡＳＭＭ登録応答をＡＳＭＭに返信する(ステップＳ１２Ａ)。その後、ＨＳＳは、ＭＮ＿ＮＡＩ，ＡＳＭＭ−ＩＤ及びＣＮＭＭ−ＩＤを含むＭＮ対応通知をＱｏＳサーバに送信する(ステップＳ１７Ａ)。ＱｏＳサーバは、ＭＮ対応通知に含まれる識別子を保存し、ＡＣＫをＨＳＳに返信する(ステップＳ１８Ａ)。
【００８７】
このように、第８実施形態では、ＡＳＭＭが、ＭＮの情報(加入者情報)に基づきＣＮＭＭを決定し、ＭＮについて自ノード(ＡＳＭＭ)と該決定ノード(ＣＮＭＭ)との対応関係をＨＳＳに登録する。これによって、ＱｏＳサーバは、ＭＮについてＱｏＳ設定指示を送信すべきＡＳＭＭ及びＣＮＭＭを認識することができる。
【００８８】
第８実施形態では、ＳＡの構築が不要で、ＭＮを収容するＡＳＭＭ及びＣＮＭＭの認識のみが必要な場合(例えば、ＱｏＳサーバとこれらのノードが同じ網に位置する場合)において、ＱｏＳサーバがこれらのノードの位置を簡易に認識することができる。
【００８９】
〔第９実施形態〕
次に、本発明の第９実施形態について説明する。第９実施形態は、第７実施形態との共通点を含むので、共通点については説明を省略し、主として相違点について説明する。
【００９０】
第９実施形態として、次の方法について説明する。
[9]  上述した[1]から[6]におけるホーム網のＱｏＳサーバが、移動端末を収容する無線アクセスシステム移動管理ノードを認識する方法であって、コア網移動管理ノード(ＣＮ
ＭＭ)が、移動端末(ＭＮ)と自ノード(ＣＮＭＭ)の対応関係に加え、下位の移動管理ノード(ＡＳＭＭ)の対応関係をホーム網のＱｏＳサーバへ登録する方法。
【００９１】
図７は、第９実施形態を説明するシーケンス図である。図７に示す手順中のステップＳ１〜Ｓ１６は、第７実施形態(図５)と同様の手順である。第９実施形態では、ステップＳ１９Ａにおいて、ＣＮＭＭが、ＭＮに係るＡＳＭＭとＣＮＭＭとの対応関係を含むＭＮ対応通知をＱｏＳサーバに送信する。
【００９２】
すなわち、ＭＮ対応通知は、例えば、ＭＮの識別子(ＭＮ＿ＮＡＩ)と、ＡＳＭＭ−ＩＤと、ステップＳ１０で決定されたＣＮＭＭの識別子(ＣＮＭＭ−ＩＤ)とを含む。
【００９３】
ＭＮ対応通知を受信したＱｏＳサーバは、ＭＮ＿ＮＡＩ，ＡＳＭＭ−ＩＤ及びＣＮＭＭ−ＩＤを関連付けて登録し、ＡＣＫをＣＮＭＭに返信する(ステップＳ２０Ａ)
このように、第９実施形態では、ＣＮＭＭが、ＭＮについてＣＮＭＭが対応関係を有する下位ノードである無線アクセスシステム移動管理ノード(ＡＳＭＭ)の情報をＱｏＳサーバに伝達する。
【００９４】
第９実施形態によれば、第７及び８実施形態と同様に、ＱｏＳサーバは、ＭＮについてＱｏＳ設定指示を送信すべきＡＳＭＭ及びＣＮＭＭを認識することができる。また、第７及び８実施形態に比べて、ＨＳＳの負荷を軽減することができる。
【００９５】
〔第１０実施形態〕
次に、本発明の第１０実施形態について説明する。第１０実施形態は、第７実施形態との共通点を含むので、共通点については説明を省略し、主として相違点について説明する。
【００９６】
第１０実施形態として、次の方法について説明する。
[10] 上述した[1]から[6]におけるホーム網のＱｏＳサーバが、移動端末を収容する無線アクセスシステム移動管理ノードを認識する方法であって、ＡＳＭＭが、ＭＮとＡＳＭＭとの対応関係に加え、上位のＣＮＭＭとＡＳＭＭとの対応関係をホーム網のＱｏＳサーバへ登録する方法。
【００９７】
図８は、第１０実施形態を説明するシーケンス図である。図８に示す手順中のステップＳ１〜Ｓ１６は、第７実施形態(図５)と同様の手順である。第１０実施形態では、ステップＳ１２の後に、ＡＳＭＭが、ＭＮに係るＡＳＭＭとＣＮＭＭとの対応関係を含むＭＮ対応通知をＱｏＳサーバに送信する(ステップＳ２１)。
【００９８】
すなわち、ＭＮ対応通知は、例えば、ＭＮの識別子(ＭＮ＿ＮＡＩ)と、ＡＳＭＭ−ＩＤと、ステップＳ１０で決定されたＣＮＭＭの識別子(ＣＮＭＭ−ＩＤ)とを含む。
【００９９】
ＭＮ対応通知を受信したＱｏＳサーバは、ＭＮ＿ＮＡＩ，ＡＳＭＭ−ＩＤ及びＣＮＭＭ−ＩＤを関連付けて登録し、ＡＣＫをＡＳＭＭに返信する(ステップＳ２２)。
【０１００】
このように、第１０実施形態では、ＡＳＭＭが、ＭＮの情報に基づきＣＮＭＭを決定し、ＭＮに係るＡＳＭＭとＣＮＭＭの対応関係をＱｏＳサーバに登録する。
【０１０１】
第１０実施形態によれば、第７〜９実施形態と同様に、ＱｏＳサーバは、ＭＮについてＱｏＳ設定指示を送信すべきＡＳＭＭ及びＣＮＭＭを認識することができる。また、第７及び８実施形態に比べて、ＨＳＳの負荷を軽減することができる。
【０１０２】
〔第１１実施形態〕
次に、本発明の第１１実施形態について説明する。第１１実施形態は、第７実施形態との共通点を含むので、共通点については説明を省略し、主として相違点について説明する。
【０１０３】
第１１実施形態として、次の方法について説明する。
[11] 上述した[1]から[6]において、網接続、ならび、無線アクセスシステム移動管理ノードの変更を含む移動時の認証をＡＡＡサーバで用いて行う構成において、ホーム網のＡＡＡサーバから、ホーム網のＱｏＳサーバへ、移動端末(ＭＮ)を収容する無線アクセスシステム移動管理ノード、ならび、コア網移動管理ノードを通知する方法。
【０１０４】
図９は、第１１実施形態の概要を説明するシーケンス図であり、図１０〜図１２は、第１１実施形態の詳細を説明するシーケンス図である。図１３は、図１０〜図１２のシーケンスで構築されるＳＡと、これらのＳＡを利用したＱｏＳの並列設定方法の説明図である。
【０１０５】
図９において、ＭＮは、通信開始時又はＡＳＭＭの変更時に、ＭＮ＿ＮＡＩを含む接続要求をＡＳＭＭに送信する(ステップＳ１０１)。接続要求を受信したＡＳＭＭは、ＭＮ＿ＮＡＩ及びＡＳＭＭ識別子(ＡＳＭＭ＿ＮＡＩ)を含む認証情報要求を認証サーバ(ＡＡＡサーバ)に送信する(ステップＳ１０２)。
【０１０６】
認証情報要求を受信したＡＡＡサーバは、ＨＳＳに対して、ユーザ認証情報要求を送信する(ステップＳ１０３)。ＨＳＳは、認証情報を生成し(ステップＳ１０４)、認証情報を含むユーザ認証情報応答をＡＡＡサーバに返信する(ステップＳ１０５)。
【０１０７】
ユーザ認証情報応答を受信したＡＡＡサーバは、認証情報を保存し(ステップＳ１０６)、乱数及び認証トークンを含む認証要求をＡＳＭＭを介してＭＮに送信する(ステップＳ１０７)。認証要求を受信したＭＮは、認証応答値を計算し(ステップＳ１０８)、応答値を含む認証応答をＡＳＭＭを介してＡＡＡサーバに返信する(ステップＳ１０９)。
【０１０８】
認証応答を受信したＡＡＡサーバは、保存した認証情報と認証応答とを元にＭＮ認証を実行する(ステップＳ１１０)。ＭＮ認証が成功すると、ＡＡＡサーバは、ＣＮＭＭ割当処理(ＣＮＭＭ決定処理)として、以下の処理を行う。
【０１０９】
すなわち、ＡＡＡサーバは、或るＣＮＭＭに対して、認証に係るＭＮのＨＡ(Home Agent)になることを要求するＨＡ要求を送信する(ステップＳ１１２)。このとき、ＡＡＡサーバは、ＱｏＳサーバとＣＮＭＭとの間にＳＡを確立するための情報(キー情報)を含むＨＡ要求を送信する。
【０１１０】
ＨＡ要求を受信したＣＮＭＭは、ＣＮＭＭ＿ＮＡＩ及びＡＡＡ＿ＮＡＩ(ＡＡＡサーバの識別子)を生成し(ステップＳ１１３)、これらを含むＨＡ応答をＡＡＡサーバに返信する(ステップＳ１１４)。
【０１１１】
ＨＡ応答を受信したＡＡＡサーバは、ＣＮＭＭ＿ＮＡＩ及びＡＡＡ＿ＮＡＩを含むメッセージをＡＳＭＭに送信する(ステップＳ１１５)。このメッセージには、ＱｏＳサーバとＡＳＭＭとの間にＳＡを確立するための情報(キー情報)を含む。当該メッセージを受信したＡＳＭＭは、認証結果(成功)を、ＭＮに通知する(ステップＳ１１６)。また、ＡＳＭＭは、ＣＮＭＭ＿ＮＡＩ及びＡＡＡ＿ＮＡＩの記録処理を行う(ステップＳ１１７)。
【０１１２】
一方、ＡＡＡサーバは、ＭＮ＿ＮＡＩ，ＡＳＭＭ＿ＮＡＩ，ＣＮＭＭ＿ＮＡＩ及びＡＡ
Ａ＿ＮＡＩを含むユーザ情報登録要求をＱｏＳサーバに送信する(ステップＳ１１８)。このユーザ情報登録要求には、ＱｏＳサーバとＣＮＭＭとの間，及びＱｏＳサーバとＡＳＭＭとの間にＳＡをそれぞれ構築するための情報(キー情報)が含まれる。
【０１１３】
ユーザ情報登録要求を受信したＱｏＳサーバは、ＭＮ＿ＮＡＩ，ＡＳＭＭ＿ＮＡＩ，ＣＮＭＭ＿ＮＡＩ及びＡＡＡ＿ＮＡＩを記録(保存)する(ステップＳ１１９)。
【０１１４】
このように、ＡＡＡサーバからＳＡ確立用の情報がＣＮＭＭ，ＡＳＭＭ及びＱｏＳサーバに配布されて設定されることにより、ＱｏＳサーバとＣＮＭＭとの間にＳＡ(ＰＣＲＦ−ＣＮＭＭ  ＳＡ)が確立されるとともに、ＱｏＳサーバとＡＳＭＭとの間にＳＡ(ＰＣＲＦ−ＡＳＭＭ  ＳＡ)が確立される(ステップＳ１２０，Ｓ１２１)。
【０１１５】
その後、ＱｏＳサーバは、ユーザ情報登録応答をＡＡＡサーバに対して返信する(ステップＳ１２２)。
【０１１６】
このようにして、ＱｏＳサーバとＣＮＭＭ及びＡＳＭＭとの間に、ＱｏＳ設定時に利用されるＳＡが構築される。また、ＱｏＳサーバにて、ＱｏＳ設定指示の送信対象のＣＮＭＭおよびＡＳＭＭのＮＡＩが、ＭＮ＿ＮＡＩと関連付けて保持される。
【０１１７】
図１０〜１２に示す詳細シーケンスにおいて、移動体通信システムは、次のような構成要素を持つ。すなわち、ホーム網(Home NW)は、ＱｏＳサーバ(Ｈ−ＱｏＳＳ)と、加入者情報サーバ(ＨＳＳ)と、認証サーバ(Ｈ−ＡＡＡ)と、コア網移動管理ノード(Ｈ−ＣＮＭＭ)と、無線アクセスシステム移動管理モード(Ｈ−ＡＳＭＭ)とを備えている。
【０１１８】
一方、在圏網(Visited NW)は、ＱｏＳサーバ(Ｖ−ＱｏＳＳ)と、認証サーバ(Ｖ−ＡＡＡ)と、コア網移動管理ノード(Ｖ−ＣＮＭＭ)と、無線アクセスシステム移動管理モード(Ｖ−ＡＳＭＭ)とを備えている。そして、在圏網に、移動端末(ＭＮ)が接続されている。
【０１１９】
以下、図１０〜図１２の手順について説明する。  図１０において、ＭＮは、通信開始時又はＡＳＭＭの変更時に、ＭＮ＿ＮＡＩを含む接続要求をＶ−ＡＳＭＭに送信する(ステップＳ２０１)。接続要求を受信したＡＳＭＭは、ＭＮ＿ＮＡＩ及びＶ−ＡＳＭＭ＿ＮＡＩを含む認証要求を、Ｖ−ＡＡＡを介してＨ−ＡＡＡに送信する(ステップＳ２０２)。
【０１２０】
認証要求を受信したＨ−ＡＡＡは、ＨＳＳに対して、ユーザ認証情報要求を送信する(ステップＳ２０３)。ＨＳＳは、認証情報を生成し(ステップＳ２０４)、認証情報を含むユーザ認証情報応答をＨ−ＡＡＡに返信する(ステップＳ２０５)。
【０１２１】
ユーザ認証情報応答を受信したＨ−ＡＡＡは、認証情報を保存し(ステップＳ２０６)、乱数及び認証トークンを含む認証要求をＶ−ＡＡＡ及びＶ−ＡＳＭＭを介してＭＮに送信する(ステップＳ２０７)。認証要求を受信したＭＮは、認証応答値を計算し(ステップＳ２０８)、応答値を含む認証応答をＶ−ＡＳＭＭ及びＶ−ＡＡＡを介してＨ−ＡＡＡサーバに返信する(ステップＳ２０９)。
【０１２２】
ところで、認証要求を受信したＶ−ＡＡＡは、Ｖ−ＱｏＳＳとの間で、制御ポリシ情報の交換を行う(ステップＳ２１０)。このとき、Ｖ−ＡＡＡは、制御ポリシとして、Ｖ−ＣＮＭＭの提供を示す情報と、Ｖ−ＡＳＭＭ／ＣＮＭＭの直接制御許可を示す情報とを受け取る。そして、Ｖ−ＡＡＡは、Ｖ−ＡＳＭＭから受信される認証応答に対し、以下の情報を追加する(ステップＳ２１１)。
(１)Ｖ−ＣＮＭＭの提供許可とこのＶ−ＣＮＭＭに係る情報(Ｖ−ＣＮＭＭ＿ＮＡＩ)
(２)Ｖ−ＡＳＭＭ／ＣＮＭＭに対するホーム網の直接制御許可
認証応答を受信したＨ−ＡＡＡは、保存した認証情報と認証応答とを元にＭＮ認証を実行する(ステップＳ２１２)。ＭＮ認証が成功すると、Ｈ−ＡＡＡは、ＭＮ＿ＮＡＩ，及びＶ−ＡＡＡ＿ＮＡＩを含む制御ポリシ情報要求をＨ−ＱｏＳＳに送信する(ステップＳ２１３)。
【０１２３】
Ｈ−ＱｏＳＳは、以下を決定し、決定した結果を含む制御ポリシ情報応答をＨ−ＡＡＡに返信する(ステップＳ２１５)。
(１)Ｈ−ＣＮＭＭの利用及び選定
(２)Ｖ−ＣＮＭＭの利用
(３)Ｖ−ＡＳＭＭ／ＣＮＭＭの直接的なＱｏＳ設定の利用
Ｈ−ＡＡＡは、ＳＡを確立するための情報としてのキー情報を生成する(ステップＳ２１６)。続いて、Ｈ−ＡＡＡは、図１１に示すように、Ｈ−ＱｏＳＳの決定結果に基づき、キー情報を含むＨＡ要求を、選定されたＨ−ＣＮＭＭに送信する(ステップＳ２１７)。
【０１２４】
ＨＡ要求を受信したＨ−ＣＮＭＭは、Ｈ−ＣＮＭＭ＿ＮＡＩ及びＨ−ＡＡＡ＿ＮＡＩを生成し(ステップＳ２１８)、これらを含むＨＡ応答をＨ−ＡＡＡに送信する(ステップＳ２１９)。
【０１２５】
Ｈ−ＡＡＡは、ＭＮ＿ＮＡＩ，Ｖ−ＡＡＡ＿ＮＡＩ，Ｖ−ＡＳＭＭ＿ＮＡＩ，Ｖ−ＣＮＭＭ＿ＮＡＩ，Ｈ−ＣＮＭＭ＿ＮＡＩ及びＨ−ＡＡＡ＿ＮＡＩと、ＳＡ確立のためのキー情報とを含むユーザ情報登録要求をＨ−ＱｏＳＳに送信する(ステップＳ２２０)。
【０１２６】
Ｈ−ＱｏＳＳは、ＭＮ＿ＮＡＩ，Ｖ−ＡＡＡ＿ＮＡＩ，Ｖ−ＡＳＭＭ＿ＮＡＩ，Ｖ−ＣＮＭＭ＿ＮＡＩ，Ｈ−ＣＮＭＭ＿ＮＡＩ及びＨ−ＡＡＡ＿ＮＡＩを関連付けて記憶する。
【０１２７】
また、Ｈ−ＱｏＳＳがキー情報を受信することで、Ｈ−ＣＮＭＭとＨ−ＱｏＳＳとの間にＳＡが確立される(ステップＳ２２１)。Ｈ−ＱｏＳＳは、ユーザ情報登録応答をＨ−ＡＡＡに送信する(Ｓ２２２Ａ)。
【０１２８】
Ｈ−ＡＡＡは、認証結果通知をＶ−ＡＡＡに送信する(ステップＳ２２２)。認証結果通知は、以下のＨ−ＱｏＳＳによる決定結果を含む。また、認証結果通知は、ＳＡ確立のためのキー情報を含む。
(１)Ｖ−ＣＮＭＭの利用
(２)Ｖ−ＡＳＭＭ／ＣＮＭＭの直接的なＱｏＳ設定利用
Ｖ−ＡＡＡは、認証結果通知に含まれる、“Ｖ−ＣＮＭＭのＨ−ＱｏＳＳによる直接的なＱｏＳ設定利用”の情報を認識すると(ステップＳ２２３)、対応するＶ−ＣＮＭＭに対して、ＨＡ要求を送信する(ステップＳ２２４)。このＨＡ要求は、ＳＡを確立するためのキー情報を含む。
【０１２９】
Ｖ−ＣＮＭＭは、ＨＡ要求を受信すると、Ｖ−ＣＮＭＭ＿ＮＡＩ及びＶ−ＡＡＡＡ＿ＮＡＩを生成し(ステップＳ２２５)、これらを含むＨＡ応答をＶ−ＡＡＡに送信する(ステップＳ２２６)。キー情報の通知によって、Ｖ−ＣＮＭＭとＨ−ＱｏＳＳとの間には、ＳＡが確立される(ステップＳ２２７)。
【０１３０】
Ｖ−ＡＡＡは、認証結果通知に含まれる“Ｖ−ＡＳＭＭのＨ−ＱｏＳＳによる直接的なＱｏＳ設定利用”の情報に基づき、キー情報を含む認証結果通知をＶ−ＡＳＭＭを介してＭＮに送信する(ステップＳ２２８)。これによって、Ｖ−ＡＳＭＭがキー情報を受け取り、Ｖ−ＡＳＭＭとＨ−ＱｏＳＳとの間に、ＳＡが確立される(ステップＳ２２９)。
【０１３１】
その後、図１２に示すように、ＨＳＳは、ＡＳＭＭ登録要求をＶ−ＡＳＭＭに送信する
(ステップＳ２３０)。Ｖ−ＡＳＭＭは、ＭＮ＿ＮＡＩやＶ−ＡＳＭＭ＿ＮＡＩを含むＡＳＭＭ登録応答をＨＳＳに送信する(ステップＳ２３１)。
【０１３２】
その後、Ｈ−ＣＮＭＭとＶ−ＣＮＭＭとの間，Ｖ−ＣＮＭＭとＶ−ＡＳＭＭとの間，及びＶ−ＡＳＭＭとＭＮとの間で、U-planeの転送路設定処理がそれぞれ実行される(ステップＳ２３２，Ｓ２３３，Ｓ２３４)。
【０１３３】
U-planeの転送路設定処理が終了すると、接続許可メッセージがＶ−ＡＳＭＭからＭＮに送信される(ステップＳ２３５)。接続許可を受信したＭＮは、接続許可応答をＶ−ＡＳＭＭに返信する(ステップＳ２３６)。その後、ＭＮは通信(ユーザデータを送信)可能な状態となる。
【０１３４】
図１０〜図１２に示した手順によって、Ｈ−ＱｏＳＳとＨ−ＣＮＭＭとの間，Ｈ−ＱｏＳＳとＶ−ＣＮＭＭとの間，及びＨ−ＱｏＳＳとＶ−ＡＳＭＭの間には、図１３に示すような、ＱｏＳ設定指示をＨ−ＱｏＳＳから通知するためのＳＡ１１，１２，１３がそれぞれ動的に確立される(Ｓ２２１，Ｓ２２７，Ｓ２２９)
その後、ホーム網内のアプリケーションが、ＭＮに対するＱｏＳ設定(ＱｏＳサービスの提供)を決定する(ＱｏＳ設定イベントトリガが発生する)と、ＱｏＳ設定要求がＨ−ＱｏＳＳに与えられる。すると、Ｈ−ＱｏＳＳは、Ｈ−ＣＮＭＭ，Ｖ−ＣＮＭＭ，及びＶ−ＡＳＭＭとの間に確立されたＳＡを用いて、ＱｏＳ設定指示を送信し、Ｈ−ＣＮＭＭ，Ｖ−ＣＮＭＭ，及びＶ−ＡＳＭＭがＭＮのフローに対してＱｏＳ設定指示に基づくＱｏＳを設定する。このようにして、ＭＮにＱｏＳサービスが提供される。
【０１３５】
このように、第１１実施形態では、ＡＡＡサーバから、ＳＡ構築に必要なキー情報の配布をすることにより、第１実施形態で説明したようなＱｏＳ並列設定に用いるＳＡを確立する。また、無線アクセスシステム移動管理ノードへのＳＡ構築情報の配布方法として、認証情報に相乗りさせる方法を適用する。
【０１３６】
第１１実施形態によれば、ＱｏＳ設定時に使用するＳＡを構築することができる。また、無線アクセスシステム移動管理ノードへのＳＡ構築情報の配布は、認証情報に相乗りさせる。このため、メッセージ数が削減される。また、ＳＡ構築情報の安全な配布が可能で、セキュリティ保証度が高い。
【０１３７】
〔第１２実施形態〕
次に、本発明の第１２実施形態について説明する。第１２実施形態は、第１１実施形態との共通点を含むので、共通点については説明を省略し、主として相違点について説明する。
【０１３８】
第１２実施形態として、次の方法について説明する。
[12]  上述した[6]において、在圏網のノードは、在圏網のＱｏＳサーバへ、上記[7]から[11]のホーム網のＱｏＳサーバへの登録方法と同様の登録方法を用いて登録処理を行い、登録を受けた在圏網のＱｏＳサーバがホーム網のＱｏＳサーバに対して、移動端末に関するＱｏＳ設定対象ノードの代表として、ノード情報を登録することを特徴とする方式。
【０１３９】
図１４，図１５及び図１６は、第１２実施形態の詳細を説明するためのシーケンス図（在圏網の運用ポリシを踏まえ、ホーム網が図４Ｃの構成でＱｏＳ提供サービスを行うためのシーケンス図）である。
【０１４０】
図１４〜１６におけるシステム構成は、図１０〜１２に示したシステム構成と同様であり、図１４に示す手順は、図１０に示した手順とほぼ同様である。但し、図１４では、ス
テップＳ２１０Ａにおける、Ｖ−ＡＡＡとＶ−ＱｏＳＳとの制御ポリシ情報交換において、第１１実施形態と異なり、Ｖ−ＡＳＭＭ／ＣＮＭＭの直接制御不許可が、Ｖ−ＱｏＳＳからＶ−ＡＡＡに伝達される。
【０１４１】
この場合、ステップＳ２１１Ａにおいて、Ｖ−ＡＡＡは、“Ｖ−ＣＮＭＭ提供許可及びＶ−ＣＮＭＭ情報(Ｖ−ＣＮＭＭ＿ＮＡＩ)”と、“Ｖ−ＡＳＭＭ／ＣＮＭＭのホーム網の直接制御不許可”を示す情報と、Ｖ−ＱｏＳＳ情報とを含む認証応答をＨ−ＡＡＡに送信する。
【０１４２】
すると、ホーム網のＨ−ＱｏＳＳでは、制御ポリシ情報供給を受信した時に、Ｖ−ＱｏＳＳによるＱｏＳ設定利用を決定する(ステップＳ２１４Ａ)。この“Ｖ−ＱｏＳＳによるＱｏＳ設定利用”を示す情報は、Ｈ−ＡＡＡに通知される(ステップＳ２１５)。
【０１４３】
図１５に示すステップＳ２１７〜Ｓ２２１，及びＳ２２２Ａの処理は、図１１に示した手順と同様である。但し、ステップＳ２４１以下の処理が、図１１に示した手順と異なる。
【０１４４】
すなわち、Ｈ−ＱｏＳＳとＨ−ＣＮＭＭとの間にＳＡが確立された後、Ｈ−ＡＡＡは、認証結果通知をＶ−ＡＡＡに送信する(ステップＳ２４１)。Ｈ−ＡＡＡは、この認証結果通知に以下の情報を含める。
(１)Ｖ−ＣＮＭＭの利用
(２)Ｖ−ＱｏＳＳによるＱｏＳ設定利用(キー情報を含む)
認証結果通知を受信したＶ−ＡＡＡは、ＨＡ要求をＶ−ＣＮＭＭに送信する(ステップＳ２４２)。このとき、Ｖ−ＡＡＡは、“Ｖ−ＱｏＳＳによるＶ−ＣＮＭＭのＱｏＳ設定”の通知(キー情報)をＨＡ要求に含める。
【０１４５】
ＨＡ要求を受信したＶ−ＣＮＭＭは、Ｖ−ＣＮＭＭ＿ＮＡＩ及びＶ−ＡＡＡ＿ＮＡＩを生成し、これらを含むＨＡ応答をＶ−ＡＡＡに送信する(ステップＳ２４３，Ｓ２４４)。
【０１４６】
Ｖ−ＡＡＡは、Ｖ−ＣＮＭＭ＿ＮＡＩ及びＶ−ＡＡＡ＿ＮＡＩを含むユーザ情報登録要求をＶ−ＱｏＳＳに送信する(ステップＳ２４５)。このとき、Ｖ−ＡＡＡは、ＳＡを確立するためのキー情報をユーザ情報登録要求に含める。
【０１４７】
これによって、Ｖ−ＱｏＳＳとＶ−ＣＮＭＭとの間に、ＱｏＳ設定のためのＳＡが確立される(ステップＳ２４６)。さらに、Ｖ−ＱｏＳＳとＨ−ＱｏＳＳとの間に、ＱｏＳ設定のためのＳＡが確立される(ステップＳ２４７)。
【０１４８】
その後、Ｖ−ＱｏＳＳは、ユーザ情報登録応答をＶ−ＡＡＡに送信し(ステップＳ２４８)、Ｖ−ＡＡＡは、認証結果通知をＶ−ＡＳＭＭを介してＭＮに送信する(ステップＳ２４９)。この認証結果通知には、“Ｖ−ＱｏＳＳによるＶ−ＡＳＭＭのＱｏＳ設定”を示す情報(ＳＡ確立のためのキー情報)が含まれる。
【０１４９】
これによって、認証結果通知を受信したＶ−ＡＳＭＭとＶ−ＱｏＳＳとの間で、ＱｏＳ設定のためのＳＡが確立される(ステップＳ２５０)。
【０１５０】
その後、図１６に示すように、ＨＳＳは、ＡＳＭＭ登録要求をＶ−ＡＳＭＭに送信する(ステップＳ２５１)。Ｖ−ＡＳＭＭは、ＭＮ＿ＮＡＩやＶ−ＡＳＭＭ＿ＮＡＩを含むＡＳＭＭ登録応答をＨＳＳに送信する(ステップＳ２５２)。
【０１５１】
その後、Ｈ−ＣＮＭＭとＶ−ＣＮＭＭとの間，Ｖ−ＣＮＭＭとＶ−ＡＳＭＭとの間，及
びＶ−ＡＳＭＭとＭＮとの間で、U-planeの転送路設定処理がそれぞれ実行される(ステップＳ２５３，Ｓ２５４，Ｓ２５５)。
【０１５２】
U-planeの転送路設定処理が終了すると、接続許可メッセージがＶ−ＡＳＭＭからＭＮに送信される(ステップＳ２５６)。接続許可を受信したＭＮは、接続許可応答をＶ−ＡＳＭＭに返信する(ステップＳ２５７)。その後、ＭＮは通信(ユーザデータを送信)可能な状態となる。
【０１５３】
第１２実施形態では、ホーム網のアプリケーションでＱｏＳ設定イベントトリガが発生すると、Ｈ−ＱｏＳＳが、予め構築されたＳＡを用いて、Ｖ−ＱｏＳＳに対してＱｏＳ設定要求を送信する。Ｖ−ＱｏＳＳは、ＱｏＳ設定要求に従って、Ｖ−ＣＮＭＭ及びＶ−ＡＳＭＭとの間に確立されたＳＡを用いて、Ｖ−ＣＮＭＭ及びＶ−ＡＳＭＭに対してＱｏＳ設定指示を与える。Ｖ−ＣＮＭＭ及びＶ−ＡＳＭＭは、ＱｏＳ設定指示に従って、ＭＮの通信フローに対するＱｏＳ設定を行う。
【０１５４】
第１２実施形態によれば、ＱｏＳ設定を行うためのＳＡを構築することができる。また、無線アクセスシステム移動管理ノードへのＳＡ構築情報の配布は、認証情報に相乗りさせるため、メッセージ数の削減、ならび、ＳＡ構築情報の安全な配布が可能でセキュリティ保証度が高い。
【０１５５】
〔第１３実施形態〕
次に、本発明の第１３実施形態について説明する。第１３実施形態は、第１１及び第１２実施形態の変形例に相当する。
【０１５６】
第１３実施形態では、次の方法について説明する。
[13]  上記[3]から[5]の構成において、上記[7]から[11]の対応関係情報の通知に加え、ホーム網のＱｏＳサーバと在圏網のノード間にセキュリティアソシエーション(ＳＡ)を構築するための情報を交換し、セキュリティアソシエーションを構築し、これを用いて、ホーム網のQoSサーバが直接設定することを特徴とする方式。
【０１５７】
すなわち、第１３実施形態では、ＱｏＳサーバが、第７〜第１１実施形態のいずれか又は組み合わせによって認識したＱｏＳ設定対象ノードに対し、既存のセキュリティが保証された経路(ＳＡ通信路)を通じ、ＳＡ構築に必要な情報を配布する。
【０１５８】
第１３実施形態では、第１１及び１２実施形態よりも必要なメッセージ数は増える。しかし、ＱｏＳサーバから、ＱｏＳ設定を直接的に実行するためのＳＡの構築が可能となる。第１３実施形態の構成は、在圏網とホーム網との間にセキュリティゲートウェイなど、セキュリティ保証機構がある場合に有効である。
【０１５９】
〔第１４実施形態〕
次に、本発明の第１４実施形態について説明する。第１４実施形態は、次の方法について説明する。
[14]   上記[1]において、無線アクセスシステム移動管理ノードとコア網移動管理ノードのへ並列なＱｏＳ設定と、コア網移動管理ノードを経由する無線アクセスシステム移動管理ノードのＱｏＳ設定との双方の設定方法を、ＱｏＳサービスの内容に応じて選択する方式。
【０１６０】
帯域の設定を伴うＱｏＳ設定が実行される場合では、ＱｏＳ設定対象ノードのいずれかで帯域リソースが確保されなかったとき、帯域リソースの確保に成功したノードでリソースの開放指示を出す必要がある。
【０１６１】
図１に示すようなシステムでは、ＱｏＳ設定が直列的に順次実行されていた。このため、このようなリソースの開放指示を出す手順は不要であった。第１４実施形態では、このような帯域リソース確保の不成功時における後処理の負荷を無くすため、後処理が不要なＱｏＳ設定対象フローの識別情報と転送時の優先度情報の配布のみ必要な設定にのみ、並列設定を行う。
【０１６２】
図１７に、移動体通信でＩＰ(Internet Protocol)ネットワークを利用して、音声・映像、データサービス等を含むマルチメディア通信を実現するための規格であるＩＭＳ(IP Multimedia Subsystem)を用いた場合において、無線アクセスシステム移動管理ノード(ＡＳＭＭ)とコア網移動管理ノード(ＣＮＭＭ)のへ略同時並列ＱｏＳ設定の判断タイミング例と並列設定の実施例を示す。
【０１６３】
図１７中のIMS Coreとは、ＩＭＳに基づくサービスを実現するために、網内で通信セッション状態を管理維持し、Applicationと連動し、サービスに応じたセッション制御を提供するシステムである。
【０１６４】
ＩＭＳでは、ＭＮからのセッション要求の受付及び制御を行うために、ＳＩＰ(Session
Initiation Protocol)ベースの信号制御プロトコルを用いる。ＳＩＰは、ＭＮの能力情報やセッションに関する要求品質/特性(ＱｏＳ関連情報)を記述するＳＤＰ(Session Description Protocol)を運び、網側、ならび、通信相手側のＭＮとの間で、能力及び品質を交渉する。
【０１６５】
図１７では、対向ネットワークから、通信相手側のＭＮ能力情報が反映されたセッション確立要求応答SIP Offer Responseを受信したIMS coreは、受信された情報を元にApplicationと連動し、本要求セッションに関するＱｏＳ情報を含むサービス情報を生成し、ＱｏＳサーバへ伝達する。
【０１６６】
ＱｏＳサーバは、本情報受信に対する応答確認ＡＣＫをIMS Coreに返信するとともに、本受信をもとに、ＣＮＭＭ及びＡＳＭＭに対するＱｏＳ設定の並列処理(並列ＱｏＳ設定)を行うか、ＣＮＭＭ→ＡＳＭＭの順で、ＱｏＳ設定の直列処理(直列順次ＱｏＳ設定)を行うかの発動シーケンスの選択を行う。ＱｏＳサーバは、サービス情報の内容から、並列ＱｏＳ設定可能と判断する場合には、図１７に示すように、並列ＱｏＳ設定を行う。これに対し、サービス情報の内容から、並列ＱｏＳ設定が可能でないと判断する場合には、図１に示したような、直列順次ＱｏＳ設定を行う。
【０１６７】
第１４実施形態によれば、ＣＮＭＭ又はＡＳＭＭとの一方で、帯域リソースが確保できない場合に、確保されたリソースの開放指示を例えばＱｏＳサーバが発行し、開放処理を行うことを回避できる。これによって、ＱｏＳサーバの負荷を軽減することができる。
【０１６８】
なお、上述した並列ＱｏＳ設定と直列順次(シーケンシャル)ＱｏＳ設定との選択判断において、サービス情報の内容のみならず、ホーム網の負荷状態も考慮して、設定方式を選択することができる。
【０１６９】
すなわち、ＱｏＳサーバやホーム網の通信負荷が低い場合は、サービス情報の内容に拘わらず、並列ＱｏＳ設定を選択し、負荷が大きい場合は、シーケンシャルＱｏＳ設定を選択するように、動的に設定モードを切り替える。このようにすれば、平均的なＱｏＳ設定時間を短縮することができる。
【０１７０】
また、上述したようなＱｏＳサーバやホーム網の通信負荷を考慮して動的な設定モード
切り替えが行われる場合において、在圏網にＱｏＳ設定対象ノードがある場合に、この在圏網とホーム網との間の通信交換量を考慮して、ＱｏＳ設定方式を選択するように構成することが可能である。
【０１７１】
すなわち、ホーム網に対向する(接続される)在圏網の負荷を考慮して、設定モードを切り替える。このようにすれば、在圏網のノードやＱｏＳサーバのリソース確保失敗時の後処理を回避でき、負荷を軽減できる。
【０１７２】
〔その他〕
第１〜第１４実施形態に説明した構成は、本発明の目的を逸脱しない範囲で適宜組み合わせることができる。
【０１７３】
また、第１〜１４実施形態に説明した無線アクセスシステム移動管理ノード(ＡＳＭＭ)、コア網移動管理ノード(ＣＮＭＭ)、及びＱｏＳサーバは、３ＧＰＰにて検討中のアーキテクチャが適用される場合、それぞれ、UPE(User Plane Entity)/MME(Mobility Management Entity)、IASA(Inter Access System Anchor)、そして、PCRF(Policy and Charging Rule Function)/SPR(Subscriber Profile Repository)を実装したノードに対応する。
【０１７４】
また、Mobile IPv4を用いて構築したシステムでは、無線アクセスシステム移動管理ノードとコア網移動管理ノードは、それぞれ、FA(Foreign Agent)とHA(Home Agent)に対応する。
【０１７５】
また、Proxy Mobile IPv6を用いて構築したシステムでは、無線アクセスシステム移動管理ノードとコア網移動管理ノードは、それぞれ、MPA(Mobile Proxy Agent)とLMAP(Local Mobility Anchor Point)を実装したノードに対応する。
【０１７６】
さらに、無線アクセスシステム移動管理ノードとコア網移動管理ノードに加え、無線基地局ノード(ＲＡＮ)も並列設定対象とすることが可能である。
【０１７７】
（付記１）
移動端末の通信フローに対するＱｏＳ設定要求を受信する受信部と、
ＱｏＳ設定要求に基づくＱｏＳ設定指示を、前記移動端末を収容する無線アクセスシステム移動管理ノードと、前記無線アクセスシステム移動管理ノードを管理するコア網移動管理ノードとの双方に対して並列に送信する送信部と
を含むＱｏＳサーバ。
【０１７８】
（付記２）
前記移動端末が前記移動端末のホーム網に位置する無線アクセスシステム移動管理ノードに収容されている場合に、前記送信部は、前記移動端末のホーム網にそれぞれ位置する無線アクセスシステム移動管理ノード及びコア網移動管理ノードの双方に対してＱｏＳ設定指示を並列に送信する
付記１記載のＱｏＳサーバ。
【０１７９】
（付記３）
前記移動端末が前記移動端末のホーム網と異なる在圏網に位置する無線アクセス移動管理ノードに収容されている場合に、前記送信部は、前記在圏網に位置する無線アクセスシステム移動管理ノードと、前記移動体のホーム網に位置するコア網管理ノードとの双方に対してＱｏＳ設定指示を並列に送信する
付記１記載のＱｏＳサーバ。
【０１８０】
（付記４）
前記移動端末が前記移動端末のホーム網と異なる在圏網に位置する無線アクセス移動管理ノードに収容されている場合に、前記送信部は、前記在圏網にそれぞれ位置する無線アクセスシステム移動管理ノードとコア網移動管理ノードとの双方に対してＱｏＳ設定指示を並列に送信する
付記１記載のＱｏＳサーバ。
【０１８１】
（付記５）
前記移動端末が前記移動端末のホーム網と異なる在圏網に位置する無線アクセス移動管理ノードに収容されている場合に、前記送信部は、前記在圏網の無線アクセス移動管理ノードと、前記在圏網の無線アクセスシステム移動管理ノードを管理する前記在圏網のコア網移動管理ノードと、前記ホーム網に位置するコア網移動管理ノードとに対してＱｏＳ設定指示を並列に送信する
付記１記載のＱｏＳサーバ。
【０１８２】
（付記６）
前記移動端末が前記移動端末のホーム網と異なる在圏網に位置する無線アクセス移動管理ノードに収容されている場合に、前記送信部は、前記在圏網のＱｏＳサーバへのＱｏＳ設定要求送信と、前記ホーム網に位置するコア網移動管理ノードへのＱｏＳ設定指示とを並列に送信する
付記１記載のＱｏＳサーバ。
【０１８３】
（付記７）
前記移動端末に係る無線アクセスシステム移動管理ノードとコア網移動管理ノードとの対応関係を、前記移動端末のホーム網に位置する加入者情報サーバから受信する
付記１記載のＱｏＳサーバ。
【０１８４】
（付記８）
無線アクセスシステム管理ノードが前記加入者情報サーバに通知する前記移動端末に係る無線アクセスシステム移動管理ノードとコア網移動管理ノードとの対応関係を、前記加入者情報サーバから受信する
付記７記載のＱｏＳサーバ。
【０１８５】
（付記９）
前記移動端末に係る無線アクセスシステム移動管理ノードとコア網移動管理ノードとの対応関係を、前記コア網移動管理ノードから受信する
付記１記載のＱｏＳサーバ。
【０１８６】
（付記１０）
前記移動端末に係る無線アクセスシステム移動管理ノードとコア網移動管理ノードとの対応関係を、前記無線アクセスシステム移動管理ノードから受信する
付記１記載のＱｏＳサーバ。
【０１８７】
（付記１１）
前記移動端末に係る無線アクセスシステム移動管理ノードとコア網移動管理ノードとの対応関係を、前記移動端末に係る認証を行う認証サーバから受信する
付記１記載のＱｏＳサーバ。
【０１８８】
（付記１２）
前記移動端末が前記移動端末のホーム網と異なる在圏網に位置する無線アクセス移動管
理ノードに収容されている場合に、前記在圏網から通知される前記移動端末に係る無線アクセスシステム移動管理ノードとコア網移動管理ノードとの対応関係を受信する
付記１記載のＱｏＳサーバ。
【０１８９】
（付記１３）
前記無線アクセスシステム移動管理ノード及び前記コア網移動管理ノードとの間で、前記ＱｏＳ設定指示を送受信するためのセキュリティアソシエーションを構築する
付記１記載のＱｏＳサーバ。
【０１９０】
（付記１４）
前記ＱｏＳ設定指示を並列に送信する第１の方法と、ＱｏＳ設定指示をコア網移動管理ノードへ送信するとともに、コア網移動管理ノードにＱｏＳ設定指示を無線アクセスシステム移動管理ノードへ送信させる第２の方法とを、移動端末に対して設定すべきＱｏＳサービスの内容に応じて選択する
付記１記載のＱｏＳサーバ。
【０１９１】
（付記１５）
前記第１の方法と前記第２の方法との選択において、前記移動端末のホーム網における負荷状態を考慮する
付記１４記載のＱｏＳサーバ。
【０１９２】
（付記１６）
前記第１の方法と前記第２の方法との選択において、前記移動端末が前記移動端末のホーム網と異なる在圏網の無線アクセスシステム移動管理ノードに収容されている場合に、この在圏網の負荷状態を考慮する
付記１４記載のＱｏＳサーバ。
【図面の簡単な説明】
【０１９３】
【図１】図１は、従来技術及びその課題の説明図である。
【図２】図２は、本発明の概念図である。
【図３Ａ】図３Ａは、第２実施形態における移動体通信システムを示す図である。
【図３Ｂ】図３Ｂは、第３実施形態における移動体通信システムを示す図である。
【図３Ｃ】図３Ｃは、第４実施形態における移動体通信システムを示す図である。
【図３Ｄ】図３Ｄは、第５実施形態における移動体通信システムを示す図である。
【図４Ａ】図４Ａは、第６実施形態の説明図である。
【図４Ｂ】図４Ｂは、第６実施形態の説明図である。
【図４Ｃ】図４Ｃは、第６実施形態の説明図である。
【図５】図５は、第７実施形態を説明するシーケンス図である。
【図６】図６は、第８実施形態を説明するシーケンス図である。
【図７】図７は、第９実施形態を説明するシーケンス図である。
【図８】図８は、第１０実施形態を説明するシーケンス図である。
【図９】図９は、第１１実施形態の概要を説明するシーケンス図である。
【図１０】図１０は、第１１実施形態の詳細を説明するシーケンス図である。
【図１１】図１１は、第１１実施形態の詳細を説明するシーケンス図である。
【図１２】図１２は、第１１実施形態の詳細を説明するシーケンス図である。
【図１３】図１３は、第１１実施形態の説明図である。
【図１４】図１４は、第１２実施形態の詳細を説明するシーケンス図である。
【図１５】図１５は、第１２実施形態の詳細を説明するシーケンス図である。
【図１６】図１６は、第１２実施形態の詳細を説明するシーケンス図である。
【図１７】図１７は、第１４実施形態の詳細を説明するシーケンス図である。
【図１】
0004684331.tif 000002
【図２】
0004684331.tif 000003
【図３Ａ】
0004684331.tif 000004
【図３Ｂ】
0004684331.tif 000005
【図３Ｃ】
0004684331.tif 000006
【図３Ｄ】
0004684331.tif 000007
【図４Ａ】
0004684331.tif 000008
【図４Ｂ】
0004684331.tif 000009
【図４Ｃ】
0004684331.tif 000010
【図５】
0004684331.tif 000011
【図６】
0004684331.tif 000012
【図７】
0004684331.tif 000013
【図８】
0004684331.tif 000014
【図９】
0004684331.tif 000015
【図１０】
0004684331.tif 000016
【図１１】
0004684331.tif 000017
【図１２】
0004684331.tif 000018
【図１３】
0004684331.tif 000019
【図１４】
0004684331.tif 000020
【図１５】
0004684331.tif 000021
【図１６】
0004684331.tif 000022
【図１７】
0004684331.tif 000023